(57)【要約】      （修正有）【課題】手すりが使用姿勢にある時はロックされて使用上安全であるとともに、操作が容易で安価な縦可動手すりを提供する。【解決手段】手すり使用姿勢Ｕにおいて、下方手すり部２１に連接されるロック手すり材２４に内蔵されるロック部材と、フック受け部３３との係合によって手すり材２を固定状態とするとともに、ロック部材と操作杆により連結され、連動する操作ハンドル５２の操作によりロック解除可能として、手すり材２を回動して収納姿勢Ｓとする。【選択図】図１
0003158736.tif 000002
【実用新案登録請求の範囲】
【請求項１】
壁面に固定されるブラケット材と、該ブラケット材に対し縦方向に回動可能に設けられる略Ｕ字状の手すり材とより構成される縦可動手すりであって、
前記ブラケット材は、板状の本体部と、前記手すり材の回転軸部を軸止する一対の軸受け部と、フック受け部を備え、
前記手すり材は、直棒状の上方手すり部および下方手すり部と、円弧状に曲折される中間手すり部とにより全体的に略Ｕ字状に形成され、前記上方手すりの端部に設けられた回転軸部によって前記ブラケット材と連結されており、
前記下方手すり部の端部には、中空管状に形成され、ロック部材を内蔵するロック手すり材が連接されており、
該ロック手すり材は、前記ブラケット材の前記フック受け部に対して係脱可能に設けられるフック部を有する前記ロック部材と、前記下方手すり部に長手方向に摺動可能に挿入される連結部材と、前記フック部と前記連結部材とを連動可能に連結する操作杆とを備え、前記連結部材は、前記下方手すり部の外周部に摺動可能に設けられる操作ハンドルと連結されていることを特徴とする、縦可動手すり。
【請求項２】
ロック部材は、ロック手すり材に挿入固定される中空筒状体と、前記中空筒状体に回動可能に軸止されるフック部と、前記中空筒状体に摺動可能に嵌合されるとともに、操作杆の一端に連結されてなるスライド片とよりなり、
前記フック部の下面に形成された傾斜面に、前記スライド片を摺接させることによって、該フック部を回動させることを特徴とする、請求項１記載の縦可動手すり。
【考案の詳細な説明】
【技術分野】
【０００１】
本考案は、トイレ等の壁面に取付けて使用される、可動手すりに関するものである。
【背景技術】
【０００２】
近年、立ち座り時の補助に用いるため、トイレ室内に手すりを設けることが多くなっている。トイレ室内は、狭いことが多く、また車いす使用者用に設けられた比較的広い室内であっても、車いす使用者にとっては、便器に着座する前後の段階において、手すりが邪魔になるという問題があり、これを解消するために手すりを壁面側に可動させて収納できるようにした可動手すりが多く見られる。
【０００３】
しかしながら、このような可動手すりであっても、使用状態において手すりを固定する機構を備えたものは少なく、そのため力の加減により手すりが回動してしまったり、手すりにぶつかった際に不意に手すりが跳ね上がったりと、危険である。
【０００４】
このような問題を解決すべくなされたものとして、特許文献１がある。特許文献１は、『建造物の壁面に正逆方向に回動可能に取り付けられた可動手摺りと、可動手摺りの端部が当接することにより可動手摺りの回動を停止させる固定側部材と、相互に係脱自在となるように可動手摺りと固定側部材とに設けられ、係合によって可動手摺りの回動をロックする一対のロック部材と、前記一対のロック部材の係合を解除するために操作されるロック解除操作部材と、ロック解除操作部材への操作によって回動するロック解除駒とを備え、前記ロック解除駒と一対のロック部材の内の一方のロック部材とが可動手摺りの回動軸とは異なった軸に回動可能に取り付けられており、前記ロック解除駒の回動と連動して前記一方のロック部材を他方のロック部材との係合から解除する方向に回動させる連動機構が前記ロック解除駒と一方のロック部材とに係脱自在に設けられ、前記一対のロック部材の係合が解除されたとき、ロック解除駒の回動を停止させると共に一対のロック部材の係合解除状態を維持するロック解除維持機構が前記ロック解除駒と前記他方のロック部材とに係脱自在に設けられていることを特徴とする手摺り装置』に関するものである。
【０００５】
このような構成とすることにより、水平位置において手摺りをロックするロック機構を備えるとともに、ロック解除維持機構によりロック解除状態が維持され、両手を使わずとも手摺りを収納することができるようにしたものである。
【０００６】
しかしながら、特許文献１では、可動手すり端部に取り付けられる小さなロックブロックにロック機構を内蔵するため、操作性を考慮してロック解除部材を前方に配置するためには、ロックブロック内の機構部と解除操作部材を可動手すり内に挿通したケーブルで連結しなくてはならず、組立てが面倒である。
【０００７】
また、小さなロックブロック内の解除駒を直接ケーブルで引っ張って回転させるため、その動作距離は微小であり、ロック状態に付勢されるばね力が弱い場合は不用意に解除されやすく、ばね力が弱いと操作に大きな力を要するという問題がある。
【先行技術文献】
【特許文献】
【０００８】
【特許文献１】特許第３７８０４２３号公報
【考案の概要】
【考案が解決しようとする課題】
【０００９】
本考案は、上記の問題を解決し、手すりが使用姿勢にある時はロックされて使用上安全であるとともに、操作が容易で、安価な縦可動手すりの提供を課題とする。
【課題を解決するための手段】
【００１０】
本考案は、壁面に固定されるブラケット材と、該ブラケット材に対し縦方向に回動可能に設けられる略Ｕ字状の手すり材とより構成される縦可動手すりであって、前記ブラケット材は、板状の本体部と、前記手すり材の回転軸部を軸止する一対の軸受け部と、フック受け部を備え、前記手すり材は、直棒状の上方手すり部および下方手すり部と、円弧状に曲折される中間手すり部とにより全体的に略Ｕ字状に形成され、前記上方手すりの端部に設けられた回転軸部によって前記ブラケット材と連結されており、前記下方手すり部の端部には、中空管状に形成され、ロック部材を内蔵するロック手すり材が連接されており、該ロック手すり材は、前記ブラケット材の前記フック受け部に対して係脱可能に設けられるフック部を有する前記ロック部材と、前記下方手すり部に長手方向に摺動可能に挿入される連結部材と、前記フック部と前記連結部材とを連動可能に連結する操作杆とを備え、前記連結部材は、前記下方手すり部の外周部に摺動可能に設けられる操作ハンドルと連結されていることを特徴とする、縦可動手すりに関する。
【００１１】
また、前記ロック部材は、前記ロック手すり材に挿入固定される中空筒状体と、前記中空筒状体に回動可能に軸止される前記フック部と、前記中空筒状体に摺動可能に嵌合されるとともに、前記操作杆の一端に連結されてなるスライド片とよりなり、前記フック部の下面に形成された傾斜面に、前記スライド片を摺接させることによって、該フック部を回動させることを特徴とする、縦可動手すりに関する。
【考案の効果】
【００１２】
本考案の縦可動手すりを用いることによって、使用姿勢において手すりがブラケットに対して確実にロック状態となるため、不意に手すりが跳ね上がってしまうのを防止し、安全性を高めることができる。また、縦可動手すりと、ロック機構の組み込んだロック手すり材とを連接するだけで、容易に製作することができる。さらに、操作杆の一端に連結されたスライド片と、フック部の傾斜面とを摺接した状態として、操作ハンドルのスライド操作をフック部の回動に変換するため、間違って操作ハンドルに少し当たった程度ではロック解除に至らず、容易な操作で確実にロック解除を行うことができる。
【図面の簡単な説明】
【００１３】
【図１】図１は本考案に係る縦可動手すりの使用状態を示す斜視図であり、（ａ）は使用姿勢、（ｂ）は収納姿勢を示す。
【図２】図２は本考案に係る縦可動手すりの一部を破断した側面図であり、（ａ）は手すり部がロックされた状態、（ｂ）はロックを解除した状態を示す。
【図３】図３は本考案に係る縦可動手すりの一部を破断した側面図であり、手すり部を収納した収納状態を示す。
【図４】図４は図２（ａ）および（ｂ）における破断部分のうち、ブラケット付近を示す拡大断面図である。
【図５】図５は図２（ａ）および（ｂ）における破断部分のうち、操作ハンドル付近を示す拡大断面図である。
【考案を実施するための形態】
【００１４】
以下に、本考案に係る縦可動手すりを実施するための形態を図面を参照して説明する。図１は本考案に係る縦可動手すり１の使用状態を示す斜視図であり、（ａ）は使用姿勢Ｕ、（ｂ）は収納姿勢Ｓをそれぞれ示す。
【００１５】
本考案に係る縦可動手すり１は、図１（ａ）および（ｂ）に示すように、主にトイレ室内に設けられる手すりであって、洋式便器Ｔの後方の壁面Ｗに固定されて、使用者が便器Ｔに着座した時、使用者の側方に位置するように設けられる。本図では手すり１を着座した使用者の右側に位置するように設けた例を示しているが、必要に応じて便器Ｔの左側に設けたり、もしくは両側に設けても良い。
【００１６】
本考案に係る縦可動手すり１を使用する時は、図１（ａ）に示すように、手すり材２を水平とした使用姿勢Ｕにして、使用者の立ち座りの補助や、着座時の体の支えのために使用する。この状態においては、手すり材２の下方手すり部２１に連接されるロック手すり材２４に内蔵されるロック部材４（図２参照）が、ブラケット材３のフック受け部３３に係合した状態で保持されており、不意に手すり材２が回動してしまうようなことはなく、事故を防止する。
【００１７】
使用者が歩行可能であれば、図１（ａ）の状態であっても手すり１を回り込むようにして着座することができるが、車いすで移動するような場合、手すり１が邪魔になって便器Ｔにアプローチすることができないという問題がある。
【００１８】
このような場合は、図１（ｂ）に示すように、手すり材２を縦方向に回動させた収納姿勢Ｓにして、車いすを便器Ｔに接近させられるようにする。本考案に係る縦可動手すり１では、操作ハンドル５２のスライド操作によって容易にロック部材４とフック受け部３３との係合を解除して、手すり材２を収納することができる。
【００１９】
図２（ａ）、（ｂ）および図３では、本考案に係る縦可動手すり１のロック部材４および連結部材５周辺について破断した断面図とし、内部構造を示している。図２（ａ）は、図１（ａ）と同じ状態であり、ロック部材４が係合状態にある。図２（ｂ）は、操作ハンドル５２をスライド操作してロック部材４とフック受け部３３との係合を解除し、かつ、手すり材を収納していない状態を示す。
【００２０】
また、図３は、図１（ｂ）と同じ状態であり、手すり材２を収納姿勢Ｓとしている。この状態においては、ブラケット材３の上部に、左右一対に折り曲げ形成した軸受け部３１に対し、手すり材２の上方手すり部２２の端部に一体に設けられる回転軸部２５が回動可能に設けられる。
【００２１】
更に詳細な構成を図４および図５に示す。図４は、図２における破断部分のうち、ブラケット材３付近を示す拡大断面図である。
【００２２】
手すり材２は、中空の棒状体であり、ステンレス等の金属製である。図１および図２に示すように、上方手すり部２２および下方手すり部２１と、円弧状に曲げ加工した中間手すり部２３とよりなり、全体的に略倒Ｕ字状に形成する。中間手すり部２３と下方手すり部２１との間を分割構成とすることで、ロック部材４や連結部材５を手すり材２の内部に組み付けるのを容易なものとする。また、必要に応じて、手すり材２の表面に樹脂被覆を施しても良い。本考案においては、中間手すり部２３の部分を樹脂被覆構成とすることにより、使用時における金属のひんやりとした感触を防止したり、樹脂層に抗菌材を混入させて細菌の繁殖を防止するなど、使用感および機能性の向上を図っている。
【００２３】
図４では、下方手すり部２１に連接されるロック手すり材２４を示しており、端部にはキャップ部材２６が嵌合される。キャップ部材２６は、合成樹脂製で、中央に貫通孔２６１が形成されたドーナツ状であって、周縁部には手すり材２の端縁との係合縁２６２が形成される。手すり材２の端部は、金属の切断面が露出しており、そのままでは怪我をする危険性があるが、キャップ部材２６を設けて係合縁２６２で覆うことで、安全性を高めている。
【００２４】
ロック手すり材２４には、中空筒状体４１が内蔵固定される。中空筒状体４１は、アルミ押出形材製の筒状部材であり、外径が手すり材２の内径よりもわずかに小さく形成される。内部下方には、溝状のガイド部４１１が長手方向に連通して形成される。また、側面には、中空筒状体４１を手すり材２に対しねじ固定するためのねじ孔と、後述するフック部４３を回動可能に係止する回動軸挿通孔４１２が形成される。ねじ孔および回動軸挿通孔４１２は、水平方向に貫通状に設けられる。
【００２５】
また、中空筒状体４１の両端部には、前記のガイド部４１１を覆うように半円形の蓋４２が螺合係止される。蓋４２の略中央部には、操作杆挿通孔４２１が形成される。蓋４２について、コスト削減のため、操作杆挿通孔４２１が形成されたものを両側に使用している。
【００２６】
なお、中空筒状体４１について、本実施形態においてはアルミ押出型材により製造する例を記載しているが、同等の機能を発揮するものであれば、ダイキャストその他の製造方法によっても問題はない。
【００２７】
次に、中空筒状体４１に設けられる回動軸挿通孔４１２に軸止される、フック部４３について説明する。フック部４３は、ロストワックス等の製造方法よりなる鋳造品で、手すり材２端部側（壁面Ｗ側）の端部には鉤状部４３１が形成されるとともに、反対側の端部には、中空筒状体４１に設けられる回動軸挿通孔４１２に対応する位置に軸挿通孔４３２が設けられ、中空筒状体４１とフック部４３とは、軸挿通孔４３２に回動軸４４を挿通することにより回動可能に枢止される。
【００２８】
さらに、フック部４３の軸挿通孔４３２の周囲にはばね収容凹部４３３が設けられており、回動軸４４まわりにフック部４３を図４上における反時計回り方向に付勢するばね部材４３４が設けられる。これにより、フック部４３には常に回転しようとする力が働くが、中空筒状体４１の前後に設けられる蓋４２のうち、手すり材２端部側の蓋４２の上端縁にフック部４３の中間部下面が当接するように設けられており、ロック側の回転範囲を限定する。また、フック部４３の下面は、回動軸４４方向に向かって厚みを増すように傾斜面４３５が形成されている。
【００２９】
スライド片４５は、前記した中空筒状体４１に形成されるガイド部４１１内をスライドするように設けられるとともに、下方には、軸係止片４５１が突出されて、後述する操作杆４６の一端部が接続される。また、回動軸４４側の端部上面には、傾斜部４４１が形成される。操作杆４６の操作によってスライド片４５がガイド部４１１内を移動する際に、傾斜部４４１が前記のフック部４３下面に形成される傾斜面４３５と当接し、フック部４３を図４上における時計回り方向、即ちロック解除方向へ回転させる。
【００３０】
操作杆４６は、ステンレスの棒材からなり、ロック部材４および連結部材５を連動させるために設けられる。ロック部材４側の端部４６１においては、スライド片４５の軸係止片４５１の外側面と、中空筒状体４１の回動軸４４側の蓋４２の内面との間にばね４５２が設けられてスライド片４５をロック方向に付勢しており、ロック部材４の係合が振動等により不意に解除されるのを防止する。
【００３１】
使用姿勢においては、図４に見られるように、フック受け部３３が、キャップ部材２６中央の貫通孔２６１を通ってロック手すり材２４内に入り込み、フック部４３と係合状態となっている。
【００３２】
図５は、下方手すり部２１の中間部付近に設けられる操作ハンドル５２を示している。操作ハンドル５２は、下方手すり部２１に挿入されている連結部材５と連動するように設けられて、下方手すり部２１を抱持する筒状部５１と一体的に形成される。筒状部５１は、手すり材２を内包するように形成される筒状の部材であり、ＡＢＳ等の合成樹脂よりなる。中間部に、水平方向の軸挿通孔５１１が設けられて、連結部材５と操作ハンドル５２とを連動させる連結軸５３４が挿通される。
【００３３】
ガイド部材５３は、ガイド部５３１と、本体部５３２とよりなる。ガイド部５３１は、手すり材２の内径と略同径の円盤状に形成されて、ロック解除操作をスムーズに行えるようにする。ガイド部５３１は、長手方向両端部に一組形成される。
【００３４】
本体部５３２は、一組のガイド部５３１の間に形成され、中間部に係止軸挿通孔５３５が形成される。手すり材２端部側のガイド部５３１の中央部には、操作杆挿通孔５３３が形成されており、操作杆４６の操作ハンドル側端部４６２が固定される。手すり材２端部側のガイド部５３１の内側面と、操作杆４６の操作ハンドル側端部４６２との間には、ばね４６３が設けられて、スライド操作後に操作ハンドル５２を元の位置に復帰するようにされる。操作杆４６の操作ハンドル側端部４６２にはＣリング等の固定部材４６４を用いることにより、ばね４６３を収容するばね収容空間４６５を形成する。
【００３５】
この係止軸挿通孔５３５と、筒状部５１の軸挿通孔５１１と、手すり材２に形成される長孔状の挿通孔２６とを連結軸５３４により係止して、操作ハンドル５２のスライド操作にガイド部材５３が連動するようになり、操作杆４６を介してロック部材４にロック解除方向の力を伝達する。
【００３６】
なお、ブラケット材３に回動可能に設けられる回転軸部２５の内部には、図示しないばね部材が内蔵されており、常に手すり材２を収納姿勢Ｓ側に付勢するように設けられている。これにより、操作ハンドル５２の操作によってロック解除されると、さほど力を入れなくても縦方向に回動し、ブラケット材３に設けられる押さえ片３２に当接して収納姿勢Ｓとなる。収納姿勢Ｓに落ち着いてからは手すり材２が自然に落ちてくるようなことはなく、安全である。
【００３７】
以上のような構成により、本考案の縦可動手すり１においては、手すり材２が使用姿勢Ｕにあるときは、ロック部材４とフック受け部３３との係合により確実に固定されて安全であるとともに、操作ハンドル５２のスライド操作によってロック解除可能となるため、誤動作することなく、容易な操作で確実にロック解除することができる縦可動手すりの提供を可能とするものである。
【符号の説明】
【００３８】
１            縦可動手すり
２            手すり材
２１          下方手すり部
２２          上方手すり部
２３          中間手すり部
２４          ロック手すり材
２５          回転軸部
２６          キャップ部材
２６１        貫通孔
２６２        係合縁
３            ブラケット材
３１          軸受け部
３２          押さえ片
３３          フック受け部
４            ロック部
４１          中空筒状体
４１１        ガイド部
４１２        回転軸挿通孔
４２          蓋
４２１        操作杆挿通孔
４３          フック部
４３１        鉤状部
４３２        軸挿通孔
４３３        ばね収容部
４３４        ばね部材
４３５        傾斜面
４４          回動軸
４４１        傾斜部
４５          スライド片
４５１        軸係止片
４５２        ばね
４６          操作杆
４６１        ロック部側端部
４６２        操作ハンドル側端部
４６３        ばね
４６４        固定部材
４６５        ばね収容空間
５            連結部材
５１          筒状部
５１１        軸挿通孔
５２          操作ハンドル
５３          ガイド部材
５３１        ガイド部
５３２        本体部
５３３        操作杆挿通孔
５３４        連結軸
５３５      係止軸挿通孔
Ｔ            便器
Ｓ            収納姿勢
Ｕ            使用姿勢
Ｗ            壁面
【図１】
0003158736.tif 000003
【図２】
0003158736.tif 000004
【図３】
0003158736.tif 000005
【図４】
0003158736.tif 000006
【図５】
0003158736.tif 000007